(57)【要約】【課題】  動画像、静止画像を異なるディレクトリに作成するメモリカードを記録媒体とするカメラにおいて、容易、かつ時系列順にファイル閲覧を可能とすること。【解決手段】  圧縮形式が異なる静止画データ及び音声を伴う動画像データを圧縮形式別に異なるディレクトリに蓄積する画像記録再生装置であって、前記静止画像データを保存するとき、動画像データを作成するディレクトリ内に前記静止画像データに関連付けられたリンクファイルを作成することを特徴とする画像記録再生装置。【選択図】        図１
2005260662.tif 000002
【特許請求の範囲】
【請求項１】
データ蓄積装置に圧縮形式が異なる少なくとも二種以上のマルチメディアデータを前記圧縮形式別に異なるディレクトリに蓄積するマルチメディアデータ作成方法であって、
少なくとも第一のマルチメディアデータを保存するとき、第二のマルチメディアデータを作成するディレクトリ内に前記第一のマルチメディアデータに関連付けられたリンクファイルを作成することを特徴とするマルチメディアデータ作成方法。
【請求項２】
さらに第三の圧縮形式による第三のマルチメディアデータを保存するとき、前記第二の圧縮形式によるマルチメディアデータを作成するべきディレクトリ内に前記第三のマルチメディアデータに関連付けられたリンクファイルを作成することを特徴とする請求項１記載のマルチメディアデータ作成方法。
【請求項３】
前記第一のマルチメディアデータとは、静止画像データであることを特徴とする請求項１又は２記載のマルチメディアデータ作成方法。
【請求項４】
前記第二のマルチメディアデータとは、動画像及び音声を含むビデオデータであることを特徴とする請求項１乃至３のいずれか記載のマルチメディアデータ作成方法。
【請求項５】
さらに前記データ蓄積装置に保存されるデータはファイルシステムによって管理されるものであり、該ファイルシステムではデータ種ごとに該データ種を表す拡張子があり、マルチメディアデータファイルは圧縮形式ごとにファイル名称ルールが異なり、前記第二のマルチメディアデータを作成するディレクトリ内に前記第一のマルチメディアデータに関連付けられた前記リンクファイルの名称は、前記拡張子を除いた部分は前記第二のマルチメディアデータのファイル名称ルールに従って付されることを特徴とする請求項１乃至４のいずれか記載のマルチメディアデータ作成方法。
【請求項６】
前記リンクファイルはマークアップランゲージによって記述されており、相対パスによってマルチメディアファイルを指定することを特徴とする請求項１乃至５のいずれか記載のマルチメディアデータ作成方法。
【請求項７】
圧縮形式が異なる静止画データ及び音声を伴う動画像データを前記圧縮形式別に異なるディレクトリに蓄積する画像記録再生装置であって、
前記静止画像データを保存するとき、動画像データを作成するディレクトリ内に前記静止画像データに関連付けられたリンクファイルを作成することを特徴とする画像記録再生装置。
【請求項８】
さらに音声（のみの）データを保存するとき、前記静止画像データ及び前記動画像データを保存するディレクトリと異なるディレクトリ内に保存するとともに、前記動画像データを作成するディレクトリ内に、前記音声データに関連付けられたリンクファイルを作成することを特徴とする請求項７記載の画像記録再生装置。
【請求項９】
前記リンクファイルのファイル名は、拡張子を除き動画像データのファイル名生成ルールに従って付与することを特徴とする請求項７記載の画像記録再生装置。
【請求項１０】
前記リンクファイルはマークアップランゲージによって記述されており、相対パスによってマルチメディアファイルを指定することを特徴とする請求項７乃至９のいずれか記載の画像記録再生装置。
【請求項１１】
複数の記録媒体を有し、前記静止画像データと動画像データの保存先が異なる記録媒体であることを特徴とする請求項７乃至１０のいずれか記載の画像記録再生装置。
【請求項１２】
記録媒体は前記画像記録再生装置から着脱可能なメモリカードであることを特徴とする請求項７乃至１１のいずれか記載の画像記録再生装置。
【請求項１３】
前記静止画像データはＤＣＦルールに則り作成されることを特徴とする請求項７乃至１２のいずれか記載の画像記録再生装置。
【発明の詳細な説明】
【技術分野】
【０００１】
本発明は、マルチメディアデータ作成方法および、デジタルカメラまたはデジタルビデオカメラ等の画像記録再生装置に関するものである。
【背景技術】
【０００２】
近年、従来のビデオテープを記録媒体としたデジタルビデオカメラでは、不揮発性半導体メモリを内蔵した着脱可能な小型メモリカードにも記録可能となっている製品が主流である。また、小型メモリカードを記録媒体としたビデオカメラも出てきている。さらに、主に静止画像を記録再生することを目的としたデジタルカメラの普及は目覚しいものがある。また、両者ともに静止画像、動画像に対応してきており、その差は縮まりつつある。また、このような機器に使われる小型メモリカードは、パソコンとの親和性からパソコンのＯＳがそのまま読み取ることが可能なファイルシステムに則ってデータが管理されているのが一般的である。さらにＵＳＢ（Ｕｎｉｖｅｒｓａｌ  Ｓｅｒｉａｌ  Ｂｕｓ）やＩＥＥＥ１３９４などのインターフェースと、マスストレージと呼ばれる通信プロトコルを備え、パソコンと接続することにより、一つの外部ドライブとして振舞う機能を有している製品が多くある。
【０００３】
ファイル名や保存するディレクトリ名、また静止画像の圧縮形式などは、日本電子工業振興協会が制定するカメラファイルシステム規格  Ｄｅｓｉｇｎ  ｒｕｌｅ  ｆｏｒ  Ｃａｍｅｒａ  Ｆｉｌｅ  ｓｙｓｔｅｍ（以下ＤＣＦとする）が主流であり、小型メモリカードを使用する多くのデジタルカメラがこれに対応している。小型メモリカードに対応したデジタルビデオカメラにおいても、小型メモリカードに静止画像を記録する場合にはこのＤＣＦに対応しているものが多い。ＤＣＦでは、“ＤＣＩＭ“という名前のディレクトリの下にサブディレクトリを作成し、その中に静止画像ファイルを保存するよう規定されている。また静止画像の他に、動画像などのファイルも一緒に保存して良いことになっている。最近のデジタルカメラでは、静止画撮影ばかりではなく、動画像も撮影可能な製品が多い。このような製品では、ＤＣＦのルールに則り、ＤＣＩＭディレクトリの下に動画像ファイルも保存している。この場合、特に圧縮形式は規定されていないが、本来デジタルカメラは静止画圧縮方式であるＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式を採用しているので、連続した画像をＪＰＥＧ方式で圧縮することによって動画像とするモーションＪＰＥＧと呼ばれる方式が一般的である。これに音声データも付加してビデオとするものである。これに対して動画像圧縮方式であるＭＰＥＧ（Ｍｏｖｉｎｇ  Ｐｉｃｔｕｒｅ  Ｅｘｐｅｒｔｓ  Ｇｒｏｕｐ）方式によって動画像ファイルを記録するような製品では、プロファイルを複数作成し、製品ごとに適した仕様となるようにしている。この場合、他のプロファイルや規格の衝突を避けるために独自のディレクトリ下にファイルを作成するのが一般的となっている。よって上記のモーションＪＰＥＧのようにＤＣＦの静止画像と同じディレクトリにはファイルを作成せず、ユニークな名前のディレクトリを作り、その下にファイルを作成していく。
【特許文献１】特開２００１−３０９３１８号公報
【特許文献２】特開２００２−１６７７９号公報
【発明の開示】
【発明が解決しようとする課題】
【０００４】
しかしながら従来例では、次のような問題があった。
【０００５】
静止画像ファイルと動画像ファイルを個別なディレクトリに記録するタイプの製品では、静止画像ファイルと動画像ファイルを撮影順（時間順）に並べるのに適していない。本体で再生する場合には、静止画像ファイル、動画像ファイルのサムネイルを混在して、かつ撮影順に並べる機能を備えれば問題ないが、メモリカードを直接パソコンに挿したり、前述のＩＥＥＥ１３９４、ＵＳＢ等で接続する場合、静止画像ファイルと動画像ファイルは完全に別々のディレクトリにあり、その数が多ければ単純に混ぜるわけにも行かず、撮影順が直感的にわかり難い。
【課題を解決するための手段】
【０００６】
上記問題点を解決するために、本発明による画像記録再生装置及び方法では以下のようにすることを特徴とする。
【０００７】
データ蓄積装置に圧縮形式が異なる少なくとも二種以上のマルチメディアデータを前記圧縮形式別に異なるディレクトリに蓄積するマルチメディアデータ作成方法であって、少なくとも第一のマルチメディアデータを保存するとき、第二のマルチメディアデータを作成するディレクトリ内に前記第一のマルチメディアデータに関連付けられたリンクファイルを作成することを特徴とするマルチメディアデータ作成方法。
【０００８】
さらに第三の圧縮形式による第三のマルチメディアデータを保存するとき、前記第二の圧縮形式によるマルチメディアデータを作成するべきディレクトリ内に前記第三のマルチメディアデータに関連付けられたリンクファイルを作成することを特徴とするマルチメディアデータ作成方法。
【０００９】
また、前記第一のマルチメディアデータとは、静止画像データであることを特徴とするマルチメディアデータ作成方法。
【００１０】
また、前記第二のマルチメディアデータとは、動画像及び音声を含むビデオデータであることを特徴とするマルチメディアデータ作成方法。
【００１１】
また、さらに前記データ蓄積装置に保存されるデータはファイルシステムによって管理されるものであり、該ファイルシステムではデータ種ごとに該データ種を表す拡張子があり、マルチメディアデータファイルは圧縮形式ごとにファイル名称ルールが異なり、前記第二のマルチメディアデータを作成するディレクトリ内に前記第一のマルチメディアデータに関連付けられた前記リンクファイルの名称は、前記拡張子を除いた部分は前記第二のマルチメディアデータのファイル名称ルールに従って付されることを特徴とするマルチメディアデータ作成方法。
【００１２】
また、前記リンクファイルはマークアップランゲージによって記述されており、相対パスによってマルチメディアファイルを指定することを特徴とするマルチメディアデータ作成方法。
【００１３】
圧縮形式が異なる静止画データ及び音声を伴う動画像データを前記圧縮形式別に異なるディレクトリに蓄積する画像記録再生装置であって、前記静止画像データを保存するとき、動画像データを作成するディレクトリ内に前記静止画像データに関連付けられたリンクファイルを作成することを特徴とする画像記録再生装置。
【００１４】
さらに音声（のみの）データを保存するとき、前記静止画像データ及び前記動画像データを保存するディレクトリと異なるディレクトリ内に保存するとともに、前記動画像データを作成するディレクトリ内に、前記音声データに関連付けられたリンクファイルを作成することを特徴とする画像記録再生装置。
【００１５】
また、前記リンクファイルのファイル名は、拡張子を除き動画像データのファイル名生成ルールに従って付与することを特徴とする画像記録再生装置。
【００１６】
また、前記リンクファイルはマークアップランゲージによって記述されており、相対パスによってマルチメディアファイルを指定することを特徴とする画像記録再生装置。
【００１７】
また、複数の記録媒体を有し、前記静止画像データと動画像データの保存先が異なる記録媒体であることを特徴とする画像記録再生装置。
【００１８】
また、記録媒体は前記画像記録再生装置から着脱可能なメモリカードであることを特徴とする画像記録再生装置。
【００１９】
また、前記静止画像データはＤＣＦルールに則り作成されることを特徴とする画像記録再生装置。
【発明の効果】
【００２０】
本発明によれば、静止画像ファイルと動画像ファイルを異なるディレクトリに保存するデジタルカメラ、デジタルビデオカメラにおいても、時系列順に並んでいないことによるデメリット、特に汎用的なパソコンのファイル閲覧ソフトでは撮影順がわかり難い点を解決することができる。また、動画像を保存するディレクトリは他の規格、プロファイル等に使用されないものとすることで、それら及び他の製品に影響を及ぼすことなく、またＤＣＦの互換も保つことができる。
【００２１】
また、複数のメモリカードを同時に使用できるデジタルカメラ、またはデジタルビデオカメラにおいても同様な効果を得ることができるものである。
【発明を実施するための最良の形態】
【００２２】
以下に発明を実施するための最良の形態を、実施例に基づいて説明する。
【実施例】
【００２３】
（第１の実施例）
本発明による第１の実施例について、以下図面を用いて説明する。
【００２４】
図１はメモリカードを記録媒体としたビデオカメラのブロック図の一例である。
【００２５】
１０１はレンズユニットであり、集光のための固定レンズ群、変倍レンズ群、絞り、変倍レンズ群の動きで移動した結像位置を補正する機能と焦点調節を行う機能とを兼ね備えた補正レンズ群により構成される。レンズユニット１０１によって、最終的に撮像センサーの結像面上に被写体像が結像される。１０２はＣＣＤ（ｃｈａｒｇｅ  ｃｏｕｐｌｅｄ  ｄｅｖｉｃｅ）であり、光を電荷に変換し撮像信号を生成する。１０３はカメラ信号処理部であり、撮像信号に所定の処理を施しデジタル画像データを出力する。１０４はマイクユニットである。マイクユニット１０４は撮影時に音声を集めるために備わっており、所定の増幅、帯域制限、ＡＤ変換器等が含まれ、デジタル音声データを出力する。１０５は圧縮伸張処理部であり、前述のデジタル画像データ及びデジタル音声データに対しＭＰＥＧ（Ｍｏｖｉｎｇ  Ｐｉｃｔｕｒｅ  Ｅｘｐｅｒｔｓ  Ｇｒｏｕｐ）方式の圧縮処理をリアルタイムに行い、圧縮ビデオデータを出力する。また逆に圧縮ビデオデータに伸張処理を行いデジタル画像データ及びデジタル音声データを生成する機能も兼ね備えることにより、再生も可能としている。また、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式の圧縮伸張機能も搭載している。ユーザーの操作によって、ＪＰＥＧ方式による静止画像データを生成、または再生するためである。１２１は外部インターフェース（以降外部Ｉ／Ｆと称す）であり、接続端子及び処理回路を含み、外部機器とのデータのやり取りをするために設けられている。具体的にはＩＥＥＥ１３９４、ＵＳＢ（Ｕｎｉｖｅｒｓａｌ  Ｓｅｒｉａｌ  Ｂｕｓ）などであり、同様のインターフェースを搭載したデジタルビデオ、テレビ、パソコンなどとビデオストリーム、ファイル、コマンド等を入出力可能なものである。９５１はメモリカード制御部である。９５２はメモリカードであり、例えば不揮発性メモリと制御ＩＣを内蔵した小型カードである。メモリカード９５２はメモリカード制御部９５１を介して、後に説明するマイクロコンピュータ１０７に従ってデータの読み書きがなされるものである。またメモリカード９５２はパソコン等で扱うことができるファイルシステムでフォーマットされており、マイクロコンピュータ１０７はこのファイルシステムに則ってファイルの生成、読み出し、削除などを行う。
【００２６】
１０９はメモリ（ＲＡＭ）である。１４１はデータバスであり、圧縮伸張処理部１０５、外部Ｉ／Ｆ１２１、メモリカード制御部９５１、メモリ１０９が接続されており、互いにデータ転送可能となっている。メモリ１０９は、データバス１４１に接続されている各ブロックのワーク用メモリである。またデータバス１４１に接続されているブロックの少なくともいずれか一つにはバス制御を司る機能が備わっているものとする。１０７はマイクロコンピュータであり、システム全体の制御を行う。１２２は不揮発性メモリ（以降ＲＯＭと称す）であり、マイコン１０７が逐次実行するためのプログラムがあらかじめ書き込まれている。なおこれは書き換え可能なフラッシュＲＯＭでも良い。１２３はメモリであり、マイクロコンピュータ１０７のワーク用メモリである。１４２はＣＰＵバスである。ＣＰＵバス１４２にはＲＯＭ１２２、メモリ１２３、外部Ｉ／Ｆ１２１、メモリカード制御部９５１、圧縮伸張処理部１０５が接続されている。外部Ｉ／Ｆ１２１、メモリカード制御部９５１、圧縮伸張処理部１０５については、ＣＰＵバス１４２を通してマイコン１０７からのコマンドを受け、それに従い動作するものである。また必要に応じてマイクロコンピュータ１０７とのデータの受け渡しも可能である。１１６はモードダイヤルであり、カメラモード、再生モード、ＯＦＦを選択するスイッチである。カメラモードとは、主に動画像、静止画像の録画を行うためのモードである。一方再生モードとは、主にディスクに記録された動画像、静止画像を再生するためのモードである。１１７は動画像撮影トリガースイッチであり、カメラモードにおいてユーザーに押されるたびに撮影開始、撮影終了のイベントを交互に発生させ動画像録画を指示するものである。１１８は静止画像撮影トリガースイッチであり、静止画撮影を指示するものである。静止画像撮影トリガースイッチ１１８は、開放、半押し、全押しの３つの状態を持つよう工夫されており、マイクロコンピュータ１０７はそれを検出し、例えば半押し状態で自動露出（ＡＥ）及びオートフォーカス（ＡＦ）を確定し、全押しで撮影像を確定し記録するよう各ブロックを制御する。１１５は操作スイッチ群であり、モードダイヤル１１６等と同様にユーザーが操作するためのスイッチ群である。１１２は液晶パネルであり、撮影像や再生画像、機器の状態やメニューなどの各種情報を表示する。１１４はスピーカーユニットであり、再生モードにおいて音声を再生するために備えられている。
【００２７】
１３４はテレビジョン信号処理部であり、画像信号及び音声信号をＮＴＳＣ方式、ＰＡＬ方式といったテレビジョン方式に変換し、一般家庭用のテレビ受像機やビデオデッキなどに出力するために設けられている。また逆にそれらから画像及び音声信号を受け、メモリカード９５２に記録できるようになっていても良い。
【００２８】
本実施例で説明するビデオカメラでは、静止画像ファイルと動画像ファイルを異なるディレクトリに保存するものである。静止画像、または動画像を撮影するときのファイルの生成動作に関して、図２〜５を用いて説明する。
【００２９】
２０１はメモリカード内のルートディレクトリである。２０２はＤＣＩＭという名前のディレクトリであり、ＤＣＦルールに則り静止画像ファイルを保存するための親ディレクトリである。この下に３桁の番号＋“任意文字列”を名称とするサブディレクトリを作成していく。静止画ファイルはこのサブディレクトリ内に生成されていく。静止画ファイル名は“任意の文字列”＋４桁の番号＋．ＪＰＧである。
【００３０】
２１０はＶＩＤＥＯという名前のディレクトリであり、動画像ファイルを保存するための親ディレクトリである。但し本来この“ＶＩＤＥＯ”ディレクトリ２１０は、他の規格、プロファイル等で使用されることのないユニークなディレクトリ名でなければならない。この下に“任意文字列”＋３桁の番号を名称とするサブディレクトリを作成していく。動画像ファイルはこのサブディレクトリ内に生成されていく。動画像ファイル名は“任意の文字列”＋３桁の番号＋．ＭＰＧである。図２では、まだ静止画像、動画像ともに撮影されていない状態である。図２の状態から静止画像を撮影した場合について、図３を用いて説明する。２０３は静止画像ファイルを保存するためのサブディレクトリであり、前述の名称規則に従ったものである。但しここでは前述の任意の文字列を“ＩＭＡＧＥ”とした。“１０１ＩＭＡＧＥ”ディレクトリ２０３の作成時期の一例としては、メモリカードを本体に挿入し、最初に撮影モードにした時に作成される。２０５は静止画像ファイルである。やはり前述の名称規則に従っており、任意の文字列をＡＢＣＤとしている。ここまでは従来のＤＣＦ準拠のデジタルカメラ、またはデジタルビデオカメラと同じ動作である。
【００３１】
２１１は、主に動画像ファイルを保存するためのサブディレクトリであり、前述の名称規則に従ったものである。但しここでは前述の任意の文字列を“ＭＯＶ”とした。ＭＯＶ００１ディレクトリの作成時期の一例としては、やはりメモリカードを本体に挿入し、最初に撮影モードにした時に作成される。２２０は静止画像ファイル２０５を指し示す（関連付けされた）リンクファイルである。リンクファイル２２０は静止画像ファイル２０５が生成されるときの同時に生成される。またファイル名は拡張子を除き動画像ファイルの名称規則に従って付される。なお拡張子はここでは．ｌｎｋとしている。ここではＥＦＧ００１．ｌｎｋという名称であり、次に動画像を撮影すると、この次の番号を付与するものとする。図４はその様子を表している。３１５は動画像ファイルであり、ＥＦＧ００１．ＭＰＧというファイル名である。このような動作をユーザーの操作に従って繰り返した例が図４である。
【００３２】
２０４は“１０１ＩＭＡＧＥ”ディレクトリ２０３と同様に静止画像ファイルを保存するディレクトリである。２１２は“ＭＯＶ００２”ディレクトリと同様に動画像ファイルを保存するディレクトリである。２０６〜２０９は静止画像ファイルである。２２０〜２２３はそれぞれ静止画像ファイルを指し示すリンクファイルである。２３０〜２３３は動画像ファイルである。
【００３３】
このように本実施例では、静止画像ファイルはＤＣＦなど他機種との互換性が高く一般的なルールに従っている。また静止画像ファイルと動画像ファイルは異なるディレクトリに保存する。これにより静止画像ファイルと動画像ファイルが時系列順に並んでいないため、特に汎用的なパソコンのファイル閲覧ソフトでは撮影順がわかり難いデメリットがあった。この問題を回避するために、静止画像ファイルを生成する毎に、そのファイルを指し示すリンクファイルを生成することを特徴としている。また、このリンクファイルは動画像を保存するディレクトリに作成し、名称は拡張子を除いて動画像ファイルと同様にしている。このリンクファイルの実体は、パソコンンのＯＳ機能を利用する、所謂エイリアス、またはショートカットなどと呼ばれるもので良い。またＨＴＭＬ（Ｈｙｐｅｒ  Ｔｅｘｔ  Ｍａｒｋｕｐ  Ｌａｎｇｕａｇｅ）で記述されていても良い。この場合拡張子をｈｔｍとして方が良い。図５はＨＴＭＬによる記述例である。８０１はリンクファイル２２０（ＤＣＦルールによる１０１−０００１の静止画像を指し示す）の記述例である。８０２〜８０８は全てタグである。タグ８０６はルート下からＤＣＩＭ／１０１ＩＭＡＧＥ／ＡＢＣＤ０００１．ＪＰＧ（ＤＣＦ表示で１０１−０００１）を相対パスで指し示している。なおヘッダ部（タグ８０３とタグ８０４の間）には、撮影日時、カメラ情報など付加情報を記述しても良い。
【００３４】
なお、これまで説明してきたリンクファイルは、例えば対応する静止画像ファイルが消去された時、同時に消去するものである。また、例えば再生モード時等に検索をし、対応する静止画像ファイルが存在しない場合にはそのリンクファイルを消去するようにしても良い。
【００３５】
実際の利用方法としては、ユーザーがメモリカードをパソコンに挿したり、デジタルビデオカメラとパソコンをＵＳＢなどで接続し、外部ドライブとして認識させるストレージクラスによる通信を行わせたりした場合に次のような動作となる。例えばＷｉｎｄｏｗｓ（登録商標）のエクスプローラなどの汎用的なファイル閲覧ソフトを用いてＶＩＤＥＯディレクトリ以下のディレクトリを開くと、動画像ファイルの一覧表示の間に静止画像ファイルに対応するリンクファイルが挟まってリストを閲覧することになる。リンクファイルは、拡張子を除くファイル名を動画像ファイルの名称ルールに則って与えているので、フォルダを開くだけで動画像ファイルと共に撮影順にファイル名、アイコンが並ぶものである。具体的にはエクスプローラの一覧表示において、ファイルリストの上から下に向かって撮影順にファイル名、アイコンが並ぶ。さらに動画像ファイルをマウスでクリックすれば、対応する再生ソフトが起動し動画像の再生が開始される。一方リンクファイルをクリックすれば、インターネットエクスプローラなどのＪＰＥＧ画像を表示できるソフトウエアが起動し、リンク先を探し出し、ＪＰＥＧ画像を再生する。
【００３６】
よって動画像と静止画像をどのような順番で撮影したのかが一目でわかると共に、動画像及び静止画像を再生させることも可能である。
【００３７】
また、本体では、例えば動画像を順番に再生していくモードでは、リンクファイルが存在する静止画像ファイルのみ再生しても良い。これにより汎用的なＤＣＦルールで撮影されたファイルの中から本機器、または互換機器によって撮影された静止画像のみ選択することができる。
【００３８】
以上説明してきたように本実施例によれば、静止画像ファイルと動画像ファイルを異なるディレクトリに保存するデジタルカメラ、デジタルビデオカメラにおいても、時系列順に並んでいないことによるデメリット、特に汎用的なパソコンのファイル閲覧ソフトでは撮影順がわかり難い点を解決することができる。また、動画像を保存するディレクトリは他の規格、プロファイル等に使用されないものとすることで、それら及び他の製品に影響を及ぼすことなく、またＤＣＦの互換も保つことができる。
【００３９】
（第２の実施例）
本発明による第２の実施例について、以下図面を用いて説明する。
【００４０】
図６は２枚のメモリカードを同時に搭載することが可能なビデオカメラのブロック図の一例である。
【００４１】
図１と同じ番号が付されているブロックは同様な機能であるため説明を省略する。９５１Ａはメモリカード制御部である。第１の実施例と異なるのは、メモリカードを２枚制御することが可能となっている。やはりマイクロコンピュータ１０７の制御に従って動作する。９５３はメモリカードでありメモリカード９５２と同様なものである。なおここでは機器の設定メニューにより、ユーザーがファイル種ごとにどちらのカードに保存するかを設定できる機能を有するものとする。
【００４２】
例えばこのような機器において、静止画像をメモリカード９５２に、動画像をメモリカード９５３に保存するように設定すると共に、メモリカードを２枚セットした場合について図７を用いて説明する。
【００４３】
１００１はメモリカード９５３に作成されるディレクトリ、及びファイルである。一方１００２はメモリカード９５３に作成されるディレクトリ、及びファイルである。ディレクトリの名称、役割、画像ファイルの名称ルールは図２〜５で説明したものと同じである。メモリカード９５２に静止画像ファイル１００６が作成されると、同時にメモリカード９５３には静止画像ファイル１００６に関連付けされたリンクファイル１００５が作成される。図７は既にこれが繰り返された状態である。但しリンクファイルには、カードを特定する情報も含まれている。例えばメモリカードには夫々ユニークな識別番号があり、その番号も記述するといった具合である。またはユーザーからはアクセスすることのできないエリアに、やはりメモリカードを識別するための情報を作成しておいても良い。これらの処理を実際に行うのはマイクロコンピュータ１０７である。なお、２枚のカードは同じ規格のものでなくとも良い。例えば一方がＣＦカード、他方がＳＤカードであっても良い。
【００４４】
以上説明してきたように本実施例によれば、複数のメモリカード（記録媒体）にまたがる場合においても第１の実施例とどうような効果を得ることができる。
【図面の簡単な説明】
【００４５】
【図１】第１の実施例におけるビデオカメラのブロック図である。
【図２】第１の実施例において、メモリカード内のディレクトリ構造及びファイル関係を説明する図である。
【図３】第１の実施例において、メモリカード内のディレクトリ構造及びファイル関係を説明する図である。
【図４】第１の実施例において、メモリカード内のディレクトリ構造及びファイル関係を説明する図である。
【図５】第１の実施例におけるリンクファイルの記述例を説明する図である。
【図６】第２の実施例におけるビデオカメラのブロック図である。
【図７】第２の実施例において、２枚のメモリカード内のディレクトリ構造及びファイル関係を説明する図である。
【符号の説明】
【００４６】
１０１  レンズユニット
１０２  ＣＣＤ
１０３  カメラ信号処理部
１０４  マイクユニット
１０５  圧縮伸張処理部
１０６  ディスク制御部
１０７  マイクロコンピュータ
１０８  ディスク
１０９  メモリ（ＲＡＭ）
１１２  液晶パネル
１１３  パネル開閉検出スイッチ
１１４  スピーカーユニット
１１５  操作スイッチ群
１１６  モードダイヤル
１１７  トリガースイッチ
１１８  静止画像撮影トリガースイッチ
１２１  外部インターフェース
１２２  不揮発性メモリ（ＲＯＭ）
１２３  メモリ
１３４  テレビジョン信号処理部
１４１  データバス
１４２  ＣＰＵバス
９５２  メモリカード
９５１、９５１Ａ  メモリカード制御部
９５３  メモリカード
【図１】
2005260662.tif 000003
【図２】
2005260662.tif 000004
【図３】
2005260662.tif 000005
【図４】
2005260662.tif 000006
【図５】
2005260662.tif 000007
【図６】
2005260662.tif 000008
【図７】
2005260662.tif 000009